(57)【要約】      （修正有）【課題】端末使用者の操作ミスを許容した上で、利便性を高めることができる文字入力技術を提供する。【解決手段】端末装置の表示画面３１は、端末使用者が「きょうはいいてんき」を入力した状態を示している。表示画面３２は「きょうは」に関連する変換候補リスト３３を表示した状態を示す。変換候補リスト３３には、１「京は」、２「今日は」、という優先度で端末利用者に提示されている。表示画面３４において、「きょうは」に関連する変換候補リスト３３の中から「京は」が選択・決定される。表示画面３５は「京はいい天気」という文字列から「京は」を端末使用者が削除した状態を示す。表示画面３６は「きょうは」という文字を再度入力した状態を示す。表示画面３７では、再度入力された「きょうは」という文字に関連する変換候補リスト３８は変換候補リスト３３と異なり、１「今日は」、２「京は」、という優先度で端末利用者に提示される。【選択図】図２
2008158573.tif 000002
【特許請求の範囲】
【請求項１】
選択候補の優先度に関して学習機能を備えた文字入力装置において、
入力された後に削除された文字を記憶する削除文字記憶部と、
再入力された文字を記憶する再入力文字記憶部と、
前記削除された文字と前記再入力された文字とを比較する文字比較部と、
入力文字に関連する選択候補の優先度を、前記文字比較部による比較結果に応じて設定する優先度設定部と
を持つことを特徴とする文字入力装置。
【請求項２】
かな漢字変換候補の優先度に関して学習機能を備えた文字入力装置において、
かなで入力された後に削除されたかな文字を記憶する削除文字記憶部と、
かな再入力されたかな文字を記憶する再入力文字記憶部と、
前記削除されたかな文字と前記再入力されたかな文字とを比較する文字比較部と、
入力かな文字に関連するかな漢字変換の選択候補の優先度を前記文字比較部による比較結果に応じて設定する優先度設定部と
を持つことを特徴とする文字入力装置。
【請求項３】
前記入力、削除、再入力が一連の動作として行われることを特徴とする請求項１又は２に記載の文字入力装置。
【請求項４】
前記優先度設定部は、前回選択時の候補リストにおいて選択された候補の前後に位置する選択候補又はかな漢字変換候補の優先度を高く設定することを特徴とする請求項１から３までのいずれか１項に記載の文字入力装置。
【請求項５】
前記選択候補又はかな漢字変換候補は、入力文字に関連する選択候補であることを特徴とする請求項１から４までのいずれか１項に記載の文字入力装置。
【請求項６】
前記選択候補は、入力文字に関連する次入力候補であることを特徴とする請求項１から４までのいずれか１項に記載の文字入力装置。
【請求項７】
文字入力装置において、
入力された後に削除された文字を記憶する削除文字記憶部と、
再入力された文字を記憶する再入力文字記憶部と、
前記削除された文字と前記再入力された文字とを比較する文字比較部と、
入力文字の変換時における文字の区切りを、前記文字比較部による比較結果に応じて設定する区切設定部と
を持つことを特徴とする文字入力装置。
【請求項８】
前記区切設定部は、再入力された文字を文字の区切りの基準とすることを特徴とする請求項７に記載の文字入力装置。
【請求項９】
選択候補の優先度に関して学習機能を備えた文字入力方法において、
入力された後に削除された文字を記憶するステップと、
再入力された文字を記憶するステップと、
前記削除された文字と前記再入力された文字とを比較するステップと、
入力文字に関連する選択候補の優先度を、前記文字比較部による比較結果に応じて設定するステップと
を持つことを特徴とする文字入力方法。
【請求項１０】
請求項９に記載のステップをコンピュータに実行させるためのプログラム。
【発明の詳細な説明】
【技術分野】
【０００１】
本発明は文字入力技術に関し、特に文字入力処理を行う、携帯電話、パーソナルコンピュータ、ＰＤＡ（Personal Digital Assistants）などの端末装置に関する。
【背景技術】
【０００２】
パーソナルコンピュータ（ＰＣ）、携帯端末（携帯電話機を含む）などに代表される端末装置の文字入力機能においては、入力を便利にするために仮名漢字変換操作時における変換候補や入力した後の次に入力する文字の予測候補等、入力文字に関連する様々な選択候補のリストが端末使用者に提示されるようになっている。近年、端末使用者が選択した候補を記憶し、次回以降の操作時に候補の優先度を調整することにより端末の利便性を向上させている。一般にこのような機能は学習機能と呼ばれている（例えば、特許文献１参照）。
【０００３】
【特許文献１】特開昭５８−１０５３３１号公報
【発明の開示】
【発明が解決しようとする課題】
【０００４】
上記特許文献１をはじめ、従来の文字入力における学習機能においては、端末使用者による選択候補の選択頻度に基づいて優先順位を決めるような制御が行われていた。そのため、選択候補の選択ミスが生じると、ユーザが期待していない学習が実行されてしまうケースが多々あり、ユーザが煩雑に感じたり、利便性という観点からも問題が大きかった。
【０００５】
本発明は、上記問題点を解決するためになされたものであり、その目的は、端末使用者の操作ミスを許容した上で、利便性を高めることができる文字入力技術を提供することである。
【課題を解決するための手段】
【０００６】
本発明の一観点によれば、選択候補の優先度に関して学習機能を備えた文字入力装置において、入力された後に削除された文字を記憶する削除文字記憶部と、再入力された文字を記憶する再入力文字記憶部と、前記削除された文字と前記再入力された文字とを比較する文字比較部と、入力文字に関連する選択候補の優先度を、前記文字比較部による比較結果に応じて設定する優先度設定部と、を持つことを特徴とする文字入力装置が提供される。
【０００７】
また、かな漢字変換候補の優先度に関して学習機能を備えた文字入力装置において、かなで入力された後に削除されたかな文字を記憶する削除文字記憶部と、かな再入力されたかな文字を記憶する再入力文字記憶部と、前記削除されたかな文字と前記再入力されたかな文字とを比較する文字比較部と、入力かな文字に関連するかな漢字変換の選択候補の優先度を前記文字比較部による比較結果に応じて設定する優先度設定部と、を持つことを特徴とする文字入力装置が提供される。前記入力、削除、再入力が一連の動作として行われることが好ましい。
【０００８】
前記優先度設定部は、前回選択時の候補リストにおいて選択された候補の前後に位置する選択候補又はかな漢字変換候補の優先度を高く設定するのが好ましい。前記選択候補は、入力文字に関連する選択候補であっても良い。或いは、前記選択候補は、入力文字に関連する次入力候補であっても良い。
【０００９】
本発明の他の観点によれば、文字入力装置において、入力された後に削除された文字を記憶する削除文字記憶部と、再入力された文字を記憶する再入力文字記憶部と、前記削除された文字と前記再入力された文字とを比較する文字比較部と、入力文字の変換時における文字の区切りを、前記文字比較部による比較結果に応じて設定する区切設定部と、を持つことを特徴とする文字入力装置が提供される。
【００１０】
前記区切設定部は、再入力された文字を文字の区切りの基準とすることが好ましい。
本発明の別の観点によれば、選択候補の優先度に関して学習機能を備えた文字入力方法において、入力された後に削除された文字を記憶するステップと、再入力された文字を記憶するステップと、前記削除された文字と前記再入力された文字とを比較するステップと、
入力文字に関連する選択候補の優先度を、前記文字比較部による比較結果に応じて設定するステップと、を持つことを特徴とする文字入力方法が提供される。本発明は、上記の各ステップをコンピュータに実行させるためのプログラムであっても良い。
【発明の効果】
【００１１】
本発明によれば、削除された文字と入力された文字の比較結果に応じて入力された文字に関連する候補の優先度の設定をするため、端末使用者にとって利便性の高い文字入力が可能となる。
【００１２】
また、文字入力装置は、削除された文字と入力された文字の比較結果に応じて入力された文字の変換時における文節の区切りを設定するため、端末使用者にとって利便性の高い文字入力が可能となる。
【発明を実施するための最良の形態】
【００１３】
以下、本発明の各実施の形態による文字入力技術について端末装置に利用した場合を例にして説明を行う。
【００１４】
（第１の実施の形態）
図１は、本発明の第１の実施の形態による端末装置の一例であるＰＤＡ（Ｐｅｒｓｏｎａｌ  Ｄｉｇｉｔａｌ  Ａｓｓｉｓｔａｎｃｅ）のハードウェア構成例を示す機能ブロック図である。構成は携帯電話機とほぼ等価である。図１に示すＰＤＡは、プログラムなどが格納される不揮発性メモリ１１と、端末利用者からの操作を受け付ける操作部１２と、削除文字を記憶する削除文字記憶部１３と、入力文字を記憶する入力文字記憶部１５と、文字比較部１４と、優先度設定部１６と、端末装置全体の制御を行う主制御部１７と、端末利用者からの操作命令などを一時的に記憶する揮発性メモリ１８と、画像処理部１９と、表示部２１と、表示部２１の表示を制御する表示ドライバ２０と、を含んで構成されている。以下では、かな漢字変換を例にして説明するが、本入力技術は、ローマ字入力に基づいて漢字変換を行う場合など変換を伴う種々の文字入力技術に適用可能である。
【００１５】
主制御部１７は、ＣＰＵ（Ｃｅｎｔｒａｌ  Ｐｒｏｃｅｓｓｉｎｇ  Ｕｎｉｔ）などによって構成され、不揮発性メモリ１１などに格納されたプログラムを実行することによって、端末装置の全体的な制御を行う。削除文字記憶部１３は、操作部１２を通して端末使用者が削除した文字を記憶する。入力文字記憶部１５は、操作部１２を通して端末使用者が入力した文字を記憶する。文字比較部１４は、入力文字記憶部１５が記憶している入力された文字と、削除文字記憶部１３が記憶している削除された文字と、の比較を行う。優先度設定部１６は、文字比較部１４の比較結果に応じて、文字入力を行った場合の変換された文字候補の優先度の設定を行う。
【００１６】
図２は、本実施の形態による端末装置を用いて、選択候補から選択する例として例えば仮名漢字変換を行う際の変換候補の優先度設定の一例を示す図である。端末装置の表示画面３１は、端末使用者が「きょうはいいてんき」を入力した状態を示している。この時点では、まだ仮名漢字変換は行われておらず、表示画面３２は「きょうは」に関連する変換候補リスト３３を表示した状態を示す。変換候補リスト３３には、１「京は」、２「今日は」、３「きょうは」、４「キョウハ」という優先度で端末利用者に提示されている。表示画面３２において「京は」３２ａにフォーカスされており、変換候補リスト３３において「京は」３３ａにフォーカスされている。
【００１７】
表示画面３４において、「きょうは」に関連する変換候補リスト３３の中から「京は」が選択・決定され、同様に続く「いいてんき」に関連する変換候補リストから「いい天気」が選択・決定された状態を示している。
【００１８】
表示画面３５は「京はいい天気」という文字列から「京は」を端末使用者が削除した状態を示す。表示画面３６は「京は」を削除後「きょうは」という文字を再度入力した状態を示す。表示画面３７は再度入力された「きょうは」という文字に関連する変換候補リスト３８を表示した状態を示す。ここで変換候補リスト３８は変換候補リスト３３と異なり、１「今日は」、２「京は」、３「きょうは」、４「キョウハ」という優先度で端末利用者に提示されている。すなわち、今日は３７ａ、３８ａにフォーカスがあたっている。
【００１９】
図３は、図２において説明した変換候補の優先度の変移の一例を示す図である。文字入力前は、１「京は」、２「今日は」、３「きょうは」、４「キョウハ」という優先度であったものが、「京は」が選択・決定されることにより、「京は」の優先度が上がる。しかしながら、「京は」の優先度は既に他の候補より高くなっているため優先度は変わらない。ここで、端末使用者による文字「京は」の削除が行われると、「京は」の優先度は下がり、例えば、１「今日は」、２「京は」、３「きょうは」、４「キョウハ」という優先度に変更される。
【００２０】
この変換候補リスト３８は、次に同じ文字が入力される際にも同じ順序が維持・表示され、上記のような学習機能に基づく順番の変更が無い限りは維持されるようになっている。
【００２１】
図４は、削除文字記憶部１３が記憶している文字情報の一例を示す。この例では「は」「京」の順番で端末使用者は文字を削除している。より新しく削除された文字がテーブルの上にくるようになっている。また、この例では削除された文字一つ一つに対して端末使用者が入力した文字情報が関連付けられている。文字比較部１４は入力文字記憶部１５が記憶している端末使用者が新たに入力した「きょうは」と、削除文字記憶部１３が記憶している文字情報「京」、「は」とを比較し、再度同じ文字を入力したと判断する。優先度設定部１６は文字比較部１４の判断に基づき「きょうは」に対する変換候補の優先度を設定する。
【００２２】
但し、削除文字と入力文字とは完全に一致する必要はなく、「京」、「は」という削除文字に対して、「きょう」という入力文字に対しても優先度設定を行うように設定してもよい。
【００２３】
図５は、本発明の実施の形態による文字入力装置の処理手順例を示すフローチャート図である。ここでは一例として変換候補の優先度設定について説明する。適宜、図１等を参照しながら説明を行う。図５に示すように、まず、操作部１２が端末使用者からの文字削除命令を受け付けると削除文字記憶部１３は削除された文字を記憶する（ステップＳ１１）。次に、操作部１２が端末使用者からの文字入力命令を受け付けると（ステップＳ１２）、入力文字記憶部１５は入力された文字を記憶する（ステップＳ１３）。文字比較部１４は、削除文字記憶部１３が記憶している文字情報と、入力文字記憶部１４が記憶している文字情報と、を比較する（ステップＳ１４）。文字比較部１４による比較の結果、文字情報が一致していれば（ステップＳ１５：Ｙｅｓ）、優先度設定部１６が入力文字に対する変換候補の優先度を設定する（ステップＳ１６）。設定は、入力文字であって削除された文字の優先度を下げる方向への処理である。同じ操作が複数繰り返されると優先度が変更されるようにしても良い。文字情報が異なっていると判断すると（ステップＳ１５：Ｎｏ）、優先度設定部１６は何もしない（優先度を変更しない）。
【００２４】
尚、上記処理の流れにおいて、ステップＳ１１で削除文字を記憶してから、変換候補の優先順位の変更までの処理は、一般的には一連の処理として行われる。従って、削除文字とその後の入力文字とは、少なくともこの一連の処理の間だけ記憶されていれば良い。従って、大きな記憶容量のメモリは特に必須ではない。以下の各実施の形態でも同様である。
【００２５】
以上に説明したように、本実施の形態においては、入力されて表示された後に削除された変換候補の優先度が例えば１つ下がり、それよりも優先度が１つ低い変換候補が１つ上がるようになっている。すなわち、削除された文字と入力された文字との比較結果に応じて、入力された文字に関連する候補の優先度の設定をするため、端末使用者にとって利便性の高い文字入力が可能となる。
【００２６】
（第２の実施の形態）
次に、本発明の第２の実施の形態による文字入力技術について図面を参照しながら説明を行う。
図６は、本実施の形態による端末装置を用いて、仮名漢字変換を行った時の変換候補の優先度設定の一例を示す図である。端末装置の表示画面４１は、端末使用者が「きょうはいいてんき」を入力した状態を示す。この時点ではまだ仮名漢字変換は行われていない。表示画面４２は「きょうは」に関連する変換候補リスト４３を表示した状態を示す。
【００２７】
変換候補リスト４３には、１「京は」、２「今日は」、３「きょうは」、４「キョウハ」という優先度で端末利用者に提示されている（符号４２ａ、４３ａのようにフォーカスが当たっている）。
【００２８】
表示画面４４は、「きょうは」に関連する変換候補リスト４３の中から「きょうは」を選択・決定し、同様に続く「いいてんき」に関連する変換候補リストから「いい天気」を選択・決定した状態を示す。
【００２９】
表示画面４５は「きょうはいい天気」という文字列から「きょうは」を端末使用者が削除した状態を示す。表示画面４６は「きょうは」を削除後「きょうは」という文字を再度入力した状態を示す。表示画面４７は再度入力された「きょうは」という文字に関連する変換候補リスト４８を表示した状態を示す。ここで変換候補リスト４８は変換候補リスト４３と異なり、最初に選択した「きょうは」の前後に位置する「今日は」と「キョウハ」の優先度が上がり（符号４７ａ、４８ａ参照）、１「今日は」、２「キョウハ」、３「きょうは」、４「京は」という優先度で端末利用者に提示されている。
【００３０】
図７は、図６における変換候補の優先度の変移の一例を示す図である。文字入力前は１「京は」、２「今日は」、３「きょうは」、４「キョウハ」という優先度であったものが、「きょうは」を選択・決定されることにより、「きょうは」の優先度が上がり、１「きょうは」、２「京は」、３「今日は」、４「キョウハ」という優先度になる。しかしながら、端末使用者による文字「きょうは」の削除により、最初に選択した「きょうは」の前後に位置する「今日は」と「キョウハ」の優先度が上がり、１「今日は」、２「キョウハ」、３「きょうは」、４「京は」という優先度になる。
【００３１】
すなわち、操作ミス(↓ボタンの過不足)による選択間違いへの対応で、この例では本来は「今日は」を選択したかったのにもかかわらず、↓ボタンを押しすぎて「きょうは」を選択し、気づかずに決定した場合、もしくは「キョウハ」を選択したかったにもかかわらずボタンが一回足りず「きょうは」を選択し、同様に気づかずに決定した場合の例を示している。
【００３２】
以上に説明したように、本実施の形態においては、入力されて表示された後に削除された変換候補と優先度が前後する変換候補の優先度があがるようになっている。すなわち、操作ミスにより誤った変換候補を選択した場合に、本来選択されるべき変換候補の優先順位が高くなり、端末使用者にとって利便性の高い文字入力が可能となる。
【００３３】
（第３の実施の形態）
次に、本発明の第３の実施の形態による文字入力技術について図面を参照しながら説明する。
図８は、本発明の第３の実施の形態における端末装置で、入力文字に対する次入力候補の優先度設定の一例を説明するための図である。本実施の形態においては、端末装置の表示画面５１は端末使用者が「今日は」を入力した状態を示す。表示画面５２は、「今日は」に関連する次入力候補リスト５３を表示した状態を示すものである。次入力候補リスト５３には、１「いい」、２「わるい」、３「気持ちの」という優先度で端末利用者に提示されている。表示画面５４は「今日は」に関連する次入力候補リスト５３の中から「いい」５３ａを選択・決定した状態を示す（５２ａ）。表示画面５５は、「今日はいい」という文字列から「いい」を端末使用者が削除した状態を示す。表示画面５６は「いい」を削除後「今日は」という文字に関連する次入力候補リスト５７を再度表示した状態を示す。ここで次入力候補リスト５７は次入力候補リスト５３と異なり、１「わるい」（５６ａ・５７ａ）、２「いい」、３「気持ちの」という優先度で端末利用者に提示されている。
【００３４】
図９は、図８における次入力候補の優先度の変移の一例を示す図である。文字入力前は１「いい」、２「わるい」、３「気持ちの」という優先度であったものが、「いい」が選択・決定されることにより、「いい」の優先度が上がる。しかし既に優先度は他の候補より高いため順番は変わらない。しかし端末使用者による文字「いい」の削除により「いい」の優先度は下がり、１「わるい」、２「いい」、３「気持ちの」という優先度になる。
【００３５】
以上に説明したように、本実施の形態においては、上記第１及び第２の実施の形態とは異なり、前に入力されている文字（列）と関連する文字が次に入力される候補として表示される場合において、表示された後に削除された入力候補の優先度が下がり、それよりも優先度が下であった入力候補の優先度が上がるようになっている。これにより、前に入力されている文字列と関連する文字を入力候補とする場合に、前の文字列との関係で入力候補の優先度が決まるため便利である。
【００３６】
（第４の実施の形態）
図１０は、本発明の第４の実施の形態における端末装置の一例として挙げるＰＤＡのハードウェア構成例を示すブロック図である。図１と同じ機能を有する部品には同じ番号を付して詳細な説明を省略する。図１０に示すように、本実施の形態によるＰＤＡは、プログラムなどが格納される不揮発性メモリ１１と、端末利用者からの操作を受け付ける操作部１２と、削除文字記憶部１３と、入力文字記憶部１５と、文字比較部１４と、区切設定部２２と、端末装置全体の制御を行う主制御部１７と、端末利用者からの操作命令などを一時的に記憶する揮発性メモリ１８と、画像処理部１９と、表示部２１と、表示部２１の表示を制御する表示ドライバ２０と、を含む。ここで、区切設定部２２は、文字比較部１４における比較結果に応じて、文字の変換時における文字列における文字の区切に関する設定を行う。
【００３７】
図１１は、本実施の形態による端末装置を用いて、文字の仮名漢字変換を行う場合における文字の区切の設定の一例を説明するための図である。
端末装置の表示画面６１は、端末使用者が「きょうはいいてんき」を入力した状態を示す。この時点では、まだ仮名漢字変換は行われていない。表示画面６２は「きょうはいいてんき」という文字を「きょ」６２ａと「うはいいてんき」とに区切り、「きょ」６３ａに対する変換候補リスト６３を表示した状態を示す図である。変換候補リスト６３には、１「きょ」６３ａ、２「巨」、３「居」、４「キョ」という優先度で、変換候補が端末利用者に提示されている。表示画面６４は「きょ」に関連する変換候補リスト６３の中から「きょ」を選択・決定し、同様に続く「うはいいてんき」に関連する変換候補リストから「うはいい天気」を選択・決定した状態を示す。表示画面６５は「きょうはいい天気」という文字列から「きょうは」を端末使用者が削除した状態を示す。表示画面６６は「きょうは」を削除した後に「きょうは」という同じ文字を再度入力した状態を示す。表示画面６７は再度入力された「きょうは」という文字の区切りを、表示画面６２の場合と異なり「きょうは」で区切り、「きょうは」に関連する変換候補リスト６８を表示した状態を示す。ここで変換候補リスト６８は変換候補リスト６３と異なり、１「今日は」、２「キョウハ」、３「きょうは」、４「京は」という優先度で端末利用者に提示されている。
【００３８】
図１２は第４の実施の形態において、削除文字記憶部１３が記憶している文字情報の一例を示す。この例では「は」「う」、「ょ」、「き」の順番で端末使用者は文字を削除している。より新しく削除された文字（削除順が若番のもの）がテーブルの上にきるようになっている。
【００３９】
また、この例では削除された文字一つ一つに対して仮名漢字変換時における区切文字列情報が関連付けられている。文字比較部１４は入力文字記憶部１５が記憶している端末使用者が新たに入力した「きょうは」と、削除文字記憶部１３が記憶している文字情報「き」、「ょ」、「う」、「は」とを比較し、両者に関して同じ文字が再度入力されたものと判断するようにする。優先度設定部１６は文字比較部１４の判断に基づき、同じ文字と判断された「きょうは」に対する文字の区切りを「きょ」、「うはいいてんき」から「きょうは」、「いいてんき」に変更する。
【００４０】
ここで、削除文字と入力文字とが完全に一致する必要はなく、「き」、「ょ」、「う」、「は」という削除文字に対して、「きょう」という入力文字に対しても区切り設定を行ってもよい。
【００４１】
図１３は、本発明の第４の実施の形態における文字入力装置の処理手順を説明するためのフローチャートである。図５と同じ処理については同じ番号を付し、説明を省略する。
【００４２】
文字比較部１４による比較の結果、文字情報が一致していれば（Ｓ１５  Ｙｅｓ）、区切設定部２２が入力文字に対する区切りの設定を削除と再入力とに基づいて変更する（Ｓ１６）。
【００４３】
以上に説明したように、本実施の形態においては、入力文字の区切りに関して、文字の削除と再入力とに基づいて設定を行うため、すなわち、削除された文字と入力された文字の比較結果に応じて入力された文字の変換時における文節の区切りを設定するため、端末使用者にとって利便性の高い文字入力が可能となる。
【産業上の利用可能性】
【００４４】
本発明は、文字入力装置として利用可能である。
【図面の簡単な説明】
【００４５】
【図１】本発明の第１の実施の形態における端末装置の一例であるＰＤＡのハードウェア構成を示すブロック図である。
【図２】端末利用者による文字入力操作と入力文字に対する変換候補の優先度の変更を説明するための図である。
【図３】変換候補の優先度の遷移について説明するための図である。
【図４】削除文字記憶部が持つ文字情報を説明するための図である。
【図５】本発明の第１の実施の形態における端末装置の処理手順を説明するためのフローチャート図である。
【図６】本発明の第２の実施の形態における端末利用者による文字入力操作と入力文字に対する変換候補の優先度の変更を説明するための図である。
【図７】変換候補の優先度の遷移について説明するための図である。
【図８】本発明の第３の実施の形態における端末利用者による文字入力操作と入力文字に対する次入力候補の優先度の変更を説明するための図である。
【図９】次入力候補の優先度の遷移について説明するための図である。
【図１０】本発明の第４の実施の形態における端末装置の一例であるＰＤＡのハードウェア構成を示すブロック図である。
【図１１】端末利用者による文字入力操作と入力文字に対する仮名漢字変換の文字区切りの変更を説明するための図である。
【図１２】削除文字記憶部が持つ文字情報を説明するための図である。
【図１３】本発明の第４の実施の形態における端末装置の処理手順を説明するためのフローチャート図である。
【符号の説明】
【００４６】
１１…不揮発性メモリ、１２…操作部、１３…削除文字記憶部、１４…文字比較部、１５…入力文字記憶部、１６…優先度設定部、１７…主制御部、１８…揮発性メモリ、１９…画像処理部、２０…表示ドライバ、２１…表示部、２２…区切設定部、３１、３２、３４、３５、３６、３７…表示画面、３３、３８…変換候補リスト、４１、４２、４４、４５、４６、４７…表示画面、４３、４８…変換候補リスト、５１、５２、５４、５５、５６…表示画面、５３、５７…変換候補リスト、６１、６２、６４、６５、６６、６７…表示画面、６３、６８…変換候補リスト。
【図１】
2008158573.tif 000003
【図２】
2008158573.tif 000004
【図３】
2008158573.tif 000005
【図４】
2008158573.tif 000006
【図５】
2008158573.tif 000007
【図６】
2008158573.tif 000008
【図７】
2008158573.tif 000009
【図８】
2008158573.tif 000010
【図９】
2008158573.tif 000011
【図１０】
2008158573.tif 000012
【図１１】
2008158573.tif 000013
【図１２】
2008158573.tif 000014
【図１３】
2008158573.tif 000015